(57)【要約】【課題】重量の増加を抑制しつつ、車両のドアをより的確に全閉状態にできる車両用ドアロック装置を提供する。【解決手段】スイングドア１１の上端に設けられ、ハーフラッチ状態及びフルラッチ状態においてスイングドア１１を半ドア状態及び全閉状態でそれぞれ保持するアッパラッチ機構６０を有するアッパクローザ５０と、スイングドア１１の下端に設けられ、ハーフラッチ状態及びフルラッチ状態においてスイングドア１１を半ドア状態及び全閉状態でそれぞれ保持するロアラッチ機構３０を有するロアクローザ２０と、アッパラッチ機構６０及びロアラッチ機構３０がハーフラッチ状態からフルラッチ状態になるようにそれらアッパラッチ機構６０及びロアラッチ機構３０を作動させる１つのアクチュエータ４０とを備える。【選択図】図１
2019173500.tif 000002
【特許請求の範囲】
【請求項１】
車両のドアの上端に設けられ、ハーフラッチ状態及びフルラッチ状態において前記ドアを半ドア状態及び全閉状態でそれぞれ保持するアッパラッチ機構を有するアッパクローザと、
前記ドアの下端に設けられ、ハーフラッチ状態及びフルラッチ状態において前記ドアを半ドア状態及び全閉状態でそれぞれ保持するロアラッチ機構を有するロアクローザと、
前記アッパラッチ機構及び前記ロアラッチ機構が前記ハーフラッチ状態から前記フルラッチ状態になるように前記アッパラッチ機構及び前記ロアラッチ機構を作動させる１つのアクチュエータとを備えた、車両用ドアロック装置。
【請求項２】
請求項１に記載の車両用ドアロック装置において、
前記アクチュエータは、電動モータを有し、該電動モータの一方向の回転によって前記アッパラッチ機構及び前記ロアラッチ機構が共にハーフラッチ状態からフルラッチ状態になるようにそれらアッパラッチ機構及びロアラッチ機構を作動させる、車両用ドアロック装置。
【請求項３】
請求項２に記載の車両用ドアロック装置において、
前記アッパラッチ機構に連結され、該アッパラッチ機構を作動させる連結部材を備え、
前記アクチュエータは、前記電動モータの回転が伝達されるクローズレバーを有して前記ロアクローザに設けられており、
前記クローズレバーは、
前記電動モータの前記一方向の回転に伴って前記ロアラッチ機構を作動させるロアラッチ作動部と、
前記連結部材に連結され、前記電動モータの前記一方向の回転に伴って前記アッパラッチ機構を作動させるべく前記連結部材を引き込むアッパラッチ作動部とを有した、車両用ドアロック装置。
【発明の詳細な説明】
【技術分野】
【０００１】
本発明は、車両用ドアロック装置に関するものである。
【背景技術】
【０００２】
従来、車両用ドアロック装置としては、例えば特許文献１に記載されたものが知られている。この車両用ドアロック装置は、車両のドアの上端及び下端にそれぞれ設けられるアッパラッチ機構及びロアラッチ機構を備える。アッパラッチ機構及びロアラッチ機構の各々は、ハーフラッチ状態及びフルラッチ状態においてドアを半ドア状態及び全閉状態でそれぞれ保持する。また、車両用ドアロック装置は、ハーフラッチ状態にあるアッパラッチ機構がフルラッチ状態になるように該アッパラッチ機構を作動させるアクチュエータを備える。
【０００３】
そして、車両用ドアロック装置は、ドアの上部が半ドア状態にあるときにアクチュエータによってアッパラッチ機構をハーフラッチ状態からフルラッチ状態にする。
以上により、アッパラッチ機構及びロアラッチ機構によってドアが全閉状態で保持される。
【０００４】
つまり、この車両用ドアロック装置は、ドアの上端のアッパラッチ機構のみをハーフラッチ状態からフルラッチ状態にする機能（いわゆるクローザ機能）を有している。これは、ドアの上部が相対的に低剛性であり、アッパラッチ機構がハーフラッチ状態で停止してしまう可能性があるためである。
【先行技術文献】
【特許文献】
【０００５】
【特許文献１】特開２０１７−４３９９０号公報
【発明の概要】
【発明が解決しようとする課題】
【０００６】
ところで、特許文献１では、例えばドアをゆっくりと閉めた場合などにロアラッチ機構がハーフラッチ状態で停止してしまう可能性がある。この場合、的確にドアを全閉状態にできなくなる可能性がある。
【０００７】
そこで、ロアラッチ機構をハーフラッチ状態からフルラッチ状態にする機能を追加することも考えられる。しかしながら、この場合、アッパラッチ機構及びロアラッチ機構の両方に当該機能（アクチュエータ等）が必要になり、装置全体としての重量の増加を余儀なくされる。
【０００８】
本発明の目的は、重量の増加を抑制しつつ、車両のドアをより的確に全閉状態にできる車両用ドアロック装置を提供することにある。
【課題を解決するための手段】
【０００９】
上記課題を解決する車両用ドアロック装置は、車両のドアの上端に設けられ、ハーフラッチ状態及びフルラッチ状態において前記ドアを半ドア状態及び全閉状態でそれぞれ保持するアッパラッチ機構を有するアッパクローザと、前記ドアの下端に設けられ、ハーフラッチ状態及びフルラッチ状態において前記ドアを半ドア状態及び全閉状態でそれぞれ保持するロアラッチ機構を有するロアクローザと、前記アッパラッチ機構及び前記ロアラッチ機構が前記ハーフラッチ状態から前記フルラッチ状態になるように前記アッパラッチ機構及び前記ロアラッチ機構を作動させる１つのアクチュエータとを備える。
【００１０】
この構成によれば、前記ドアが半ドア状態にあるときに前記アクチュエータによって前記アッパラッチ機構及び前記ロアラッチ機構を共にハーフラッチ状態からフルラッチ状態にでき、ひいては前記ドアをより的確に全閉状態にできる。また、前記アクチュエータは、前記アッパラッチ機構及び前記ロアラッチ機構に共用の一つでよいため、例えばそれらアッパラッチ機構及びロアラッチ機構に個別にアクチュエータを設ける場合に比べて装置全体としての重量の増加を抑制できる。
【００１１】
上記車両用ドアロック装置について、前記アクチュエータは、電動モータを有し、該電動モータの一方向の回転によって前記アッパラッチ機構及び前記ロアラッチ機構が共にハーフラッチ状態からフルラッチ状態になるようにそれらアッパラッチ機構及びロアラッチ機構を作動させることが好ましい。
【００１２】
この構成によれば、前記電動モータの前記一方向の回転によって前記アッパラッチ機構及び前記ロアラッチ機構が共にハーフラッチ状態からフルラッチ状態になるようにそれらアッパラッチ機構及びロアラッチ機構を作動させることが可能である。従って、例えば前記電動モータの回転方向に応じて選択的に前記アッパラッチ機構及び前記ロアラッチ機構を作動させる場合に比べて該作動に要する時間をより短縮できる。
【００１３】
上記車両用ドアロック装置について、前記アッパラッチ機構に連結され、該アッパラッチ機構を作動させる連結部材を備え、前記アクチュエータは、前記電動モータの回転が伝達されるクローズレバーを有して前記ロアクローザに設けられており、前記クローズレバーは、前記電動モータの前記一方向の回転に伴って前記ロアラッチ機構を作動させるロアラッチ作動部と、前記連結部材に連結され、前記電動モータの前記一方向の回転に伴って前記アッパラッチ機構を作動させるべく前記連結部材を引き込むアッパラッチ作動部とを有することが好ましい。
【００１４】
この構成によれば、前記クローズレバーは、前記ロアラッチ作動部及び前記アッパラッチ作動部を有することで、一部品で二つの機能（アッパラッチ機構の作動、ロアラッチ機構の作動）を持つことができる。
【発明の効果】
【００１５】
本発明は、重量の増加を抑制しつつ、車両のドアをより的確に全閉状態にできる効果がある。
【図面の簡単な説明】
【００１６】
【図１】車両用ドアロック装置の一実施形態が適用されるドアについてその構造を示す側面図。
【図２】同実施形態の車両用ドアロック装置についてそのロアクローザの構造を示す正面図。
【図３】同実施形態の車両用ドアロック装置についてそのロアクローザの構造を示す斜視図。
【図４】（ａ）、（ｂ）は、同実施形態の車両用ドアロック装置についてそのロアクローザの作用を示す斜視図。
【図５】メインブラケットを示す斜視図。
【図６】アクチュエータを示す背面図。
【図７】同実施形態の車両用ドアロック装置についてそのアッパクローザの構造を示す正面図。
【図８】同実施形態の車両用ドアロック装置についてそのアッパクローザの構造を示す斜視図。
【図９】同実施形態の車両用ドアロック装置についてそのアッパクローザの作用を示す斜視図。
【発明を実施するための形態】
【００１７】
以下、車両用ドアロック装置の一実施形態について説明する。なお、以下では、車両の前後方向を「前後方向」といい、車両の高さ方向上方及び下方をそれぞれ「上方」及び「下方」という。また、車室内方に向かう車両の幅方向内側を「車内側」といい、車室外方に向かう車両の幅方向外側を「車外側」という。特に、車両のドアについては、基本的に閉止状態と見なしてその方向をいう。
【００１８】
図１に示すように、車両のボデー１の側部には、その中央部にセンターピラーを有しない、いわゆるピラーレス型の開口２が形成されるとともに、該開口２に合わせてスイングドア１１及びスライドドア１２が前後方向に並設されている。すなわち、スイングドア１１は、その前縁部に設けられたドアヒンジ（図示略）によりボデー１に回動自在に連結されており、ドアヒンジを中心に回動することで前席側の乗降口となる開口２の前部を開閉する。一方、スライドドア１２は、適宜の支持部材（図示略）によりボデー１に前後方向に移動自在に連結されており、前後方向に移動することで後席側の乗降口となる開口２の後部を開閉する。
【００１９】
スイングドア１１は、その下部を構成するドア本体１３を備える。このドア本体１３は、ドアアウタパネル及びドアインナパネル（図示略）が結合されてなる袋状の構造体である。また、スイングドア１１は、ドア本体１３の上端部に取着されたドアフレーム１４を備える。このドアフレーム１４は、ドア本体１３の後部に固着されて上方に延びる略筒状の立柱部１４ａを有するとともに、ドア本体１３の前部に固着されて後方斜め上方に延び立柱部１４ａの上端部に接続される略弓形の上縁部１４ｂを有する。なお、立柱部１４ａは、ドア本体１３内まで車両の高さ方向に連通している。
【００２０】
ドア本体１３には、操作ハンドル１５が揺動可能に連結されている。また、ドア本体１３には、その内部空間において、操作ハンドル１５に連係されたリモコン（リモートコントローラ）１６が設置されている。
【００２１】
ドア本体１３の後部下端（スイングドア１１の後部下端）には、その内部空間において、ロアクローザ２０が設置されている。このロアクローザ２０は、開口２の下端でボデー１に設けられたストライカＳＴＬと係合することでスイングドア１１を全閉状態又は半ドア状態（閉止状態）で保持するロアラッチ機構３０を有する。ロアラッチ機構３０は、オープンケーブルＣ１を介してリモコン１６に接続されており、操作ハンドル１５の操作力がリモコン１６及びオープンケーブルＣ１を介して伝達されることで、スイングドア１１の閉止状態での保持を解除する。
【００２２】
また、ロアクローザ２０には、アクチュエータ４０が設けられている。ロアクローザ２０は、ロアラッチ機構３０においてアクチュエータ４０に連携されている。ロアラッチ機構３０は、ＥＣＵ（電子制御装置）９０によりアクチュエータ４０が駆動制御されることで、半ドア状態にあるスイングドア１１が全閉状態まで閉作動するように作動する。なお、アクチュエータ４０は、キャンセルケーブルＣ２を介してリモコン１６に接続されており、操作ハンドル１５の操作力がリモコン１６及びキャンセルケーブルＣ２を介して伝達されることで、スイングドア１１の閉作動を中止すべくその出力を停止する。
【００２３】
一方、立柱部１４ａの上端（スイングドア１１の後部上端）には、その内部空間において、アッパクローザ５０が設置されている。このアッパクローザ５０は、開口２の上端でボデー１に設けられたストライカＳＴＵと係合することでスイングドア１１を全閉状態又は半ドア状態（閉止状態）で保持するアッパラッチ機構６０を有する。アッパラッチ機構６０は、オープンケーブルＣ３を介してリモコン１６に接続されており、操作ハンドル１５の操作力がリモコン１６及びオープンケーブルＣ３を介して伝達されることで、スイングドア１１の閉止状態での保持を解除する。
【００２４】
また、アッパラッチ機構６０は、連結部材としての駆動ケーブルＣ４の一端に接続されている。この駆動ケーブルＣ４は、立柱部１４ａ内を下方に延びて他端がロアクローザ２０のアクチュエータ４０に接続されている。アッパラッチ機構６０は、ＥＣＵ９０によりアクチュエータ４０が駆動制御されることで、該アクチュエータ４０の動力が駆動ケーブルＣ４を介して伝達されて、半ドア状態にあるスイングドア１１が全閉状態まで閉作動するように作動する。つまり、ロアクローザ２０のアクチュエータ４０は、アッパクローザ５０の駆動用のアクチュエータとして兼用されている。
【００２５】
次に、ロアクローザ２０について説明する。
図２及び図３に示すように、ロアクローザ２０は、例えば金属板からなるベースプレート３１を有する。このベースプレート３１は、スイングドア１１の下端面に沿って広がってこれに締結される底壁３１ａ及び該底壁３１ａの車内側端から起立する縦壁３１ｂを有して略Ｌ字形状を呈している。そして、ベースプレート３１には、底壁３１ａ及び縦壁３１ｂの間に跨って略スリット状のストライカ入出部３１ｃが形成されている。このストライカ入出部３１ｃは、スイングドア１１の閉作動時にストライカＳＴＬが進入するように配置されている。
【００２６】
ロアラッチ機構３０は、ベースプレート３１の底壁３１ａに軸支された互いに平行な一対の回転軸３３，３４と、回転軸３３に対して回動可能に連結されたラッチ３５と、回転軸３４に一体回動可能に連結されたポール３６とを有する。
【００２７】
ラッチ３５には、ストライカ入出部３１ｃの配置に合わせて略Ｕ字状の係合凹部３５ａが形成されている。そして、ラッチ３５は、係合凹部３５ａを挟んでその一側及び他側（図３において時計回転方向及び反時計回転方向の側）にそれぞれ第１爪部３５ｂ及び第２爪部３５ｃを形成する。周方向において、第１爪部３５ｂの先端部の第２爪部３５ｃから離間する端面及び第２爪部３５ｃの先端部の第１爪部３５ｂに対向する端面は、フルラッチ係合面３５ｄ及びハーフラッチ係合面３５ｅをそれぞれ形成する。ラッチ３５は、ベースプレート３１に一端の掛止されたラッチ付勢ばね（図示略）の他端が掛止されることで図示時計回転方向に回動する側に付勢されるとともに、樹脂ボデー（図示略）に設置されたラッチストッパ（図示略）に当接することで当該方向への回動が規制され、所定の初期回動位置（以下、「アンラッチ位置」という）に保持される。なお、ラッチ３５は、回転軸３３を挟んで第２爪部３５ｃの反対側に略アーム状の連動片３５ｆを突出する。
【００２８】
一方、ポール３６は、回転軸３４からその径方向一側（図３の左下側）に延出する略鉤爪状の係合片３６ａを形成する。このポール３６は、ポール付勢ばね（図示略）により図示反時計回転方向に回動する側、即ち係合片３６ａを図示下側に移動させる側に付勢され、所定の初期回動位置に保持される。なお、回転軸３４のポール３６から離間する側の先端には、ポール駆動レバー３７が一体回動するように連結されている。
【００２９】
ここで、ロアラッチ機構３０の基本的な動作について説明する。
スイングドア１１が開放されている状態では、アンラッチ位置に保持されるラッチ３５は、ボデー１に固着されたストライカＳＴＬに係合凹部３５ａを対向させる。つまり、係合凹部３５ａは、ストライカ入出部３１ｃと共にスイングドア１１の閉作動に伴うストライカＳＴＬの進入経路を開放している。また、所定の初期回動位置に保持されるポール３６は、係合片３６ａを第２爪部３５ｃの前方に配置する。なお、このときのロアラッチ機構３０の状態をアンラッチ状態（解除状態）という。
【００３０】
次に、スイングドア１１の閉作動に伴い、係合凹部３５ａ内にストライカＳＴＬが進入したとする。この際、ストライカＳＴＬにより係合凹部３５ａの内壁面が押圧されることで、ラッチ３５は、ラッチ付勢ばねに抗して図示反時計回転方向に回動し、ハーフラッチ係合面３５ｅに係合片３６ａが係止されることで回り止めされる（図４（ａ）参照）。このとき、スイングドア１１は、係合凹部３５ａにおいてストライカＳＴＬと係合してこれを抜け止めする半ドア状態にある。このときのロアラッチ機構３０の状態をハーフラッチ状態といい、ラッチ３５の回動位置をハーフラッチ位置という。
【００３１】
続いて、スイングドア１１の更なる閉作動に伴い、係合凹部３５ａ内にストライカＳＴＬが更に進入したとする。この際、ストライカＳＴＬにより係合凹部３５ａの内壁面が押圧されることで、ラッチ３５は、ラッチ付勢ばねに抗して図示反時計回転方向に更に回動し、図３に示すように、フルラッチ係合面３５ｄに係合片３６ａが係止されることで回り止めされる。このとき、スイングドア１１は、係合凹部３５ａにおいてストライカＳＴＬと係合してこれを抜け止めする全閉状態にある。このときのロアラッチ機構３０の状態をフルラッチ状態（係合状態）といい、ラッチ３５の回動位置をフルラッチ位置という。
【００３２】
また、ハーフラッチ状態又はフルラッチ状態において、ポール３６がポール付勢ばねに抗して図示時計回転方向に回動すると、係合片３６ａによるハーフラッチ係合面３５ｅ又はフルラッチ係合面３５ｄの係止が解除される。このとき、ラッチ３５は、例えばシール部材の反発力などでスイングドア１１が開作動し始めることに伴い、係合凹部３５ａ内から退出するストライカＳＴＬにより係合凹部３５ａの内壁面が押圧されることで、図示時計回転方向に回動する。そして、スイングドア１１は、係合凹部３５ａにおけるストライカＳＴＬとの係合を解除して開放可能となる。
【００３３】
なお、ロアラッチ機構３０は、ポール駆動レバー３７においてオープンレバー（図示略）を介して前述のオープンケーブルＣ１に連携されている。そして、操作ハンドル１５が操作されると、その操作力がリモコン１６及びオープンケーブルＣ１及びオープンレバーを介してポール駆動レバー３７に伝達されることで、該ポール駆動レバー３７と共にポール３６が前述の回動をするように構成されている。
【００３４】
図２及び図３に示すように、ロアクローザ２０は、縦壁３１ｂの上端部においてベースプレート３１に締結されて上方に向かって広がる、例えば金属板からなるメインブラケット２１を有する。メインブラケット２１は、ベースプレート３１とは別にスイングドア１１に締結されている。図５に併せ示すように、このメインブラケット２１は、略扇状の第１取付部２２を有するとともに、該第１取付部２２から前方斜め上方に突出する略三角形の第２取付部２３を有し、更に第１取付部２２の上端から後方に延出する略舌片状のケーブル取付部２４を有する。
【００３５】
メインブラケット２１には、前述のアクチュエータ４０が設置されている。このアクチュエータ４０は、電動モータ４１と、該電動モータ４１の回転軸の回転を減速する減速機構４２とを有しており、該減速機構４２においてメインブラケット２１の第２取付部２３に締結されている。この減速機構４２は、ウォームギヤと、例えばリングギヤ、サンギヤ及びキャリアをそれぞれ固定軸、入力軸及び出力軸とする適宜の遊星歯車装置とを内蔵している。
【００３６】
また、図６に示すように、アクチュエータ４０は、減速機構４２の車内側にキャリアと一体回転する出力ギヤ４３を有する。さらに、アクチュエータ４０は、出力ギヤ４３の前方斜め下方で該出力ギヤ４３の軸線と平行な軸線周りに回動自在に連結された、例えば樹脂製の略アーム状のキャンセルレバー４４を有する。アクチュエータ４０は、キャンセルレバー４４において前述のキャンセルケーブルＣ２に接続されている。このキャンセルレバー４４は、減速機構４２のリングギヤと係合・離脱可能な適宜のキャンセル部材に連結されている。キャンセルレバー４４は、操作ハンドル１５の操作力が前述のように伝達されると、軸線周りに回動してキャンセル部材及びリングギヤの係合状態を解除する。このとき、リングギヤが回転自在になってキャリアと共に出力ギヤ４３の回転が停止、即ちアクチュエータ４０の出力が停止するようになっている。つまり、アクチュエータ４０は、その内部で電動モータ４１の出力伝達経路を遮断可能となっている。
【００３７】
図２及び図３に示すように、アクチュエータ４０は、メインブラケット２１の第１取付部２２において減速機構４２の軸線と平行な軸線周りに回動自在に連結された、例えば金属板からなるクローズレバー４５を有する。このクローズレバー４５は、その軸線を中心とする前方に向かう径方向（即ち減速機構４２等に近付く方向）に延びる略鎌状の第１レバー突片４６を有するとともに、後方に向かう径方向に延びる略二又状の第２レバー突片４７を有する。
【００３８】
第１レバー突片４６の外周部には、出力ギヤ４３と噛合するセクタギヤ部４６ａが形成されている。従って、出力ギヤ４３が回転すると、これに連動してクローズレバー４５が回転する。
【００３９】
第２レバー突片４７の先端部には、その図示時計回転方向に先行する側の端面から略直角に起立するロアラッチ作動部としての押圧片４７ａが形成されている。この押圧片４７ａは、その図示時計回転方向の回動軌跡上にハーフラッチ位置にあるラッチ３５の連動片３５ｆが配置されるようになっている（図４（ａ）参照）。従って、クローズレバー４５が図示時計回転方向に回転すると、押圧片４７ａに連動片３５ｆの押圧されるラッチ３５は、図示反時計回転方向に回動してフルラッチ位置に到達する（図４（ｂ）参照）。
【００４０】
また、第２レバー突片４７の先端部には、その図示反時計回転方向に先行する側で略鍵穴状のケーブル引込み孔４７ｂが形成されている。そして、第２レバー突片４７の先端部には、例えば金属板からなる略三角形のケーブル引込みプレート４８が締結されている。このケーブル引込みプレート４８は、第２レバー突片４７に締結される基端部に対して先端部が車外側に変位するように曲成されており、該先端部において第２レバー突片４７との間に車両の幅方向の隙間を形成する。この先端部には、ケーブル引込み孔４７ｂと同心の略円形のケーブル引込み孔４８ａが形成されている。ケーブル引込みプレート４８は、第２レバー突片４７と協働してアッパラッチ作動部としてのケーブル引込み部４９を構成する。
【００４１】
アクチュエータ４０は、クローズレバー４５のケーブル引込み部４９において前述の駆動ケーブルＣ４に接続されている。
すなわち、メインブラケット２１のケーブル取付部２４には、その車外側から重ねられる状態で、例えば金属板からなるサブブラケット２５が取着されている。このサブブラケット２５は、ケーブル取付部２４の外形に合わせて略舌片状に成形されている。一方、駆動ケーブルＣ４のアウタケーシング７０は、ロアクローザ２０側の先端部７１がケーブル取付部２４及びサブブラケット２５の間に挟持された状態で長手方向に沿う移動が規制されている。そして、アウタケーシング７０に摺動自在に挿通されたワイヤ７５のアウタケーシング７０から露出するロアクローザ２０側の端末７６は、ケーブル引込み孔４７ｂ等と同心の略円柱状に成形されている。ワイヤ７５の端末７６は、両端がケーブル引込み孔４７ｂ及びケーブル引込み孔４８ａに回動自在に嵌挿されることでケーブル引込み部４９（クローズレバー４５）に連結されている。そして、クローズレバー４５が図示時計回転方向に回動すると、アウタケーシング７０からワイヤ７５がロアクローザ２０側に引き込まれる。
【００４２】
次に、アッパクローザ５０について説明する。
図７〜図９に示すように、アッパクローザ５０は、立柱部１４ａの上端部に載置されるハウジング６１を備える。このハウジング６１は、例えば金属板からなるメインプレート６２と、該メインプレート６２と略平行にその前方に配置された例えば金属板からなるサブプレート６３と、それらメインプレート６２及びサブプレート６３の間に挟まれた樹脂ボデー６４とを有する。そして、ハウジング６１には、サブプレート６３及び樹脂ボデー６４の間に亘って略スリット状のストライカ入出部６１ａが形成されている。このストライカ入出部６１ａは、スイングドア１１の閉作動時にストライカＳＴＵが進入するように配置されている。
【００４３】
なお、メインプレート６２には、その下端から前方に起立する略Ｌ字状のケーブル取付部６２ａが形成されている。前述の駆動ケーブルＣ４のアウタケーシング７０は、アッパクローザ５０側の先端部７２がケーブル取付部６２ａに保持された状態で長手方向に沿う移動が規制されている。
【００４４】
アッパラッチ機構６０は、樹脂ボデー６４に収容されたラッチ６５及びポール６６を有する。ラッチ６５及びポール６６は、樹脂ボデー６４を貫通する状態でメインプレート６２及びサブプレート６３の間に架け渡された互いに平行な一対の支持軸６７，６８にそれぞれ軸支されている。両支持軸６７，６８は、車両の高さ方向に並設されている。
【００４５】
ラッチ６５には、ストライカ入出部６１ａの配置に合わせて略Ｕ字状の係合凹部６５ａが形成されている。また、ラッチ６５は、支持軸６７を挟む係合凹部６５ａの反対側で周方向に並ぶ一対の突部６５ｂ，６５ｃを有する。図示反時計回転方向に先行する側に配置された一方の突部６５ｂの当該方向に先行する端面はフルラッチ係合面６５ｄを形成し、他方の突部６５ｃの当該方向に先行する端面はハーフラッチ係合面６５ｅを形成する。ラッチ６５は、ハウジング６１に一端の掛止されたラッチ付勢ばね（図示略）の他端が掛止されることで図示反時計回転方向に回動する側に付勢されるとともに、該ハウジング６１に設置されたラッチストッパ（図示略）に当接することで当該方向への回動が規制され、所定の初期回動位置（アンラッチ位置）に保持される。なお、ラッチ６５は、支持軸６７を中心とする一の径方向（図７において右方）に鉤爪状の連動片６５ｆを突出する。
【００４６】
一方、ポール６６は、支持軸６８からその径方向一側（図７の左側）に延出する略鉤爪状の係合片６６ａを形成する。また、ポール６６は、支持軸６８からその径方向他側（図７の左下側）に延出する略アーム状の被押圧部６６ｂを形成する。このポール６６は、ポール付勢ばね（図示略）により図示時計回転方向に回動する側、即ち係合片６６ａを上方に移動させる側に付勢され、所定の初期回動位置に保持される。
【００４７】
なお、アッパラッチ機構６０（ラッチ６５、ポール６６）の基本的な動作は、符号及び方向が異なることを除けばロアラッチ機構３０と同様であるため、その説明を省略する。
メインプレート６２には、ポール６６等の下方で支持軸６７の中心線と平行に中心線の延びる支持軸５１が設けられるとともに、該支持軸５１には、例えば金属板からなるリリースレバー５２が軸支されている。このリリースレバー５２は、支持軸５１を中心とする径方向に延びる略アーム状の接続部５２ａを有するとともに、図示時計回転方向の回動軌跡上にポール６６の被押圧部６６ｂが位置する押圧部５２ｂを有する。
【００４８】
アッパラッチ機構６０は、接続部５２ａにおいて前述のオープンケーブルＣ３に接続されている。そして、操作ハンドル１５が操作されると、その操作力がリモコン１６及びオープンケーブルＣ３を介して伝達されることで、リリースレバー５２が図示時計回転方向に回動する。そして、押圧部５２ｂに被押圧部６６ｂの押圧されるポール６６が図示反時計回転方向に回動する。このとき、アッパラッチ機構６０がハーフラッチ状態又はフルラッチ状態にあれば、係合片６６ａによるハーフラッチ係合面６５ｅ又はフルラッチ係合面６５ｄの係止が解除される。そして、スイングドア１１は、係合凹部６５ａにおけるストライカＳＴＵとの係合を解除して開放可能となる。
【００４９】
また、樹脂ボデー６４には、その後縁部に沿って車両の高さ方向に連通するガイド部６４ａが形成されるとともに、該ガイド部６４ａには、その連通方向にスライダ５５が摺動自在に配置されている。このスライダ５５は、例えば金属板からなり、ガイド部６４ａ内に位置する略長尺状の本体部５５ａを有するとともに、該本体部５５ａの下端に接続されてガイド部６４ａから露出する略四角筒状の接続部５５ｂを有する。アッパラッチ機構６０は、接続部５５ｂにおいて前述の駆動ケーブルＣ４（ワイヤ７５）に接続されている。従って、前述のようにワイヤ７５がロアクローザ２０側に引き込まれると、スライダ５５はガイド部６４ａに沿って下方に移動する。なお、スライダ５５には、サブプレート６３に一端の係止された引張コイルスプリング５６の他端が掛止されている。スライダ５５は、引張コイルスプリング５６により上方（即ちワイヤ７５の引込み方向とは逆方向）に移動する側に付勢されるとともに、ガイド部６４ａの終端に当接することで当該方向への移動が規制され、所定の初期位置に保持される。
【００５０】
スライダ５５には、本体部５５ａの範囲で前後方向に連通する略四角形の長孔５５ｃが形成されている。スライダ５５が初期位置にあるとき、長孔５５ｃは、ラッチ６５がアンラッチ位置及びフルラッチ位置の間を移動する際に連動片６５ｆの移動軌跡を開放する。そして、ラッチ６５がハーフラッチ位置にあるとき、長孔５５ｃには連動片６５ｆが挿通される（図９参照）。従って、ラッチ６５がハーフラッチ位置にある状態でスライダ５５がガイド部６４ａに沿って初期位置から下方に移動すると、長孔５５ｃの上端の内壁面に連動片６５ｆの押圧されるラッチ６５は、図示時計回転方向に回動してフルラッチ位置に到達する。このとき、スイングドア１１は、半ドア状態から全閉状態になるまで閉作動する。
【００５１】
なお、ロアクローザ２０側へのワイヤ７５の引込みが終了すると、スライダ５５はフルラッチ位置にあるラッチ６５を残置したまま引張コイルスプリング５６に付勢されて初期位置に復帰する。このとき、長孔５５ｃは、ラッチ６５がフルラッチ位置からアンラッチ位置へと移動する際の連動片６５ｆの移動軌跡を開放することはいうまでもない。
【００５２】
次に、スイングドア１１が閉作動に伴い半ドア状態に到達したときの作用について総括して説明する。このとき、ロアラッチ機構３０及びアッパラッチ機構６０は共にハーフラッチ状態にある（図４（ａ）、図９参照）。なお、車両用ドアロック装置は、ロアラッチ機構３０及びアッパラッチ機構６０の少なくとも一方がハーフラッチ状態又はフルラッチ状態にあることを検知する適宜の検知部材（図示略）を備えており、前述のＥＣＵ９０は、当該検知部材の検知結果に基づいてスイングドア１１が半ドア状態又は全閉状態にあることを検知する。そして、ＥＣＵ９０は、スイングドア１１が半ドア状態にあることが検知されると、全閉状態まで閉作動させるべくアクチュエータ４０の駆動を開始する。
【００５３】
アクチュエータ４０の駆動に伴い電動モータ４１が一方向に回転すると、該回転が減速機構４２及び出力ギヤ４３を介してクローズレバー４５に伝達されて、該クローズレバー４５が一方向（図４（ａ）において時計回転方向）に回動する。このとき、押圧片４７ａに連動片３５ｆを押圧されるラッチ３５は、図示反時計回転方向に回動してフルラッチ位置に到達する（図４（ｂ）参照）。そして、フルラッチ位置に到達したラッチ３５は、フルラッチ係合面３５ｄにポール３６の係合片３６ａが係止されることで回り止めされ、ロアラッチ機構３０がフルラッチ状態になる。
【００５４】
同時に、クローズレバー４５が一方向に回動すると、ケーブル引込み部４９によりワイヤ７５がロアクローザ２０側に引き込まれ、引張コイルスプリング５６の付勢力に抗してスライダ５５がガイド部６４ａに沿って下方に移動する。このとき、長孔５５ｃの内壁面に連動片６５ｆの押圧されるラッチ６５は、図示時計回転方向に回動してフルラッチ位置に到達する。そして、フルラッチ位置に到達したラッチ６５は、フルラッチ係合面６５ｄにポール６６の係合片６６ａが係止されることで回り止めされ、アッパラッチ機構６０がフルラッチ状態になる。
【００５５】
以上により、スイングドア１１が全閉状態になる。
ＥＣＵ９０は、前述の検知部材の検知結果に基づいてスイングドア１１が全閉状態にあることが検知されると、アクチュエータ４０の駆動を停止するとともに、電動モータ４１を逆方向に回転させるべくアクチュエータ４０の駆動を開始する。
【００５６】
アクチュエータ４０の駆動に伴い電動モータ４１が逆方向に回転すると、該回転が減速機構４２及び出力ギヤ４３を介してクローズレバー４５に伝達されて、該クローズレバー４５が逆方向（図４（ｂ）において反時計回転方向）に回動する。このとき、押圧片４７ａから連動片３５ｆの解放されたラッチ３５は、アンラッチ位置までの回動軌跡が開放される（図３参照）。
【００５７】
加えて、クローズレバー４５が逆方向に回動すると、スライダ５５はフルラッチ位置にあるラッチ６５を残置したまま引張コイルスプリング５６に付勢されてアッパクローザ５０側にワイヤ７５を引き込みつつ初期位置に復帰する。このとき、長孔５５ｃの内壁面から連動片６５ｆの解放されたラッチ６５は、アンラッチ位置までの回動軌跡が開放される（図７参照）。
【００５８】
なお、スイングドア１１が半ドア状態又は全閉状態にあるときに操作ハンドル１５が操作されると、その操作力が前述の態様でポール３６，６６に伝達されて係合片３６ａ，６６ａによるハーフラッチ係合面３５ｅ，６５ｅ又はフルラッチ係合面３５ｄ，６５ｄの係止が解除される。これにより、スイングドア１１が開放可能となる。
【００５９】
本実施形態の作用及び効果について説明する。
（１）本実施形態では、スイングドア１１が半ドア状態にあるときにアクチュエータ４０によってアッパラッチ機構６０及びロアラッチ機構３０を共にハーフラッチ状態からフルラッチ状態にでき、ひいてはスイングドア１１をより的確に全閉状態にできる。また、アクチュエータ４０は、アッパラッチ機構６０及びロアラッチ機構３０に共用の一つでよいため、例えばそれらアッパラッチ機構６０及びロアラッチ機構３０に個別にアクチュエータを設ける場合に比べて装置全体としての重量の増加及びコストの増加を抑制できる。
【００６０】
（２）本実施形態では、電動モータ４１の一方向の回転によってアッパラッチ機構６０及びロアラッチ機構３０が共にハーフラッチ状態からフルラッチ状態になるようにそれらアッパラッチ機構６０及びロアラッチ機構３０を作動させることが可能である。従って、例えば電動モータ４１の回転方向に応じて選択的にアッパラッチ機構６０及びロアラッチ機構３０を作動させる場合に比べて該作動に要する時間をより短縮できる。あるいは、電動モータ４１の回転方向を切り替えることなく、アッパラッチ機構６０及びロアラッチ機構３０を共に作動させることが可能であるため、電動モータ４１の回転制御をより簡素化できる。
【００６１】
（３）本実施形態では、クローズレバー４５は、押圧片４７ａ及びケーブル引込み部４９を有することで、一部品で二つの機能（アッパラッチ機構６０の作動、ロアラッチ機構３０の作動）を持つことができる。このため、部品点数の増加を抑制でき、ひいては装置全体としてより小型化できる。そして、スペースの限られたスイングドア１１内での搭載性をより向上できる。
【００６２】
（４）本実施形態では、ロアクローザ２０にアクチュエータ４０を設けてロアラッチ機構３０を作動させるための駆動ケーブルを省略したことで、ロアクローザ２０等をスイングドア１１の下端に集約配置できる。
【００６３】
（５）本実施形態では、操作ハンドル１５の操作力をリモコン１６及びキャンセルケーブルＣ２を介してキャンセルレバー４４に伝達することで、アクチュエータ４０の出力を停止できる。従って、スイングドア１１を半ドア状態から閉作動させているとき、操作ハンドル１５を操作すればロアラッチ機構３０及びアッパラッチ機構６０の作動を同時に停止でき、緊急時における速やかな対応を実現できる。
【００６４】
本実施形態は、以下のように変更して実施することができる。本実施形態及び以下の変更例は、技術的に矛盾しない範囲で互いに組み合わせて実施することができる。
・前記実施形態において、ケーブル引込み部４９は、クローズレバー４５とは独立で電動モータ４１の回転が伝達される適宜のレバーに設けられていてもよい。あるいは、ケーブル引込み部４９は、クローズレバー４５を介して電動モータ４１の回転が伝達される適宜のレバーに設けられていてもよい。
【００６５】
・前記実施形態においては、アッパラッチ機構６０の引き込みに駆動ケーブルＣ４を使用したが、これに代えて連結部材としての適宜のリンク（例えば金属製の棒状部材）等を使用してもよい。
【００６６】
・前記実施形態において、アクチュエータ４０をアッパクローザ５０に設けてもよい。この場合、アクチュエータ４０の動力を駆動ケーブル（Ｃ４）を介することなくアッパラッチ機構６０に伝達してもよい。
【００６７】
・前記実施形態において、アクチュエータ４０の動力を駆動ケーブルＣ４に準じた駆動ケーブルを介してロアラッチ機構３０に伝達してもよい。この場合、アクチュエータ４０をスイングドア１１内の適宜の位置に設けてもよい。
【符号の説明】
【００６８】
Ｃ４…駆動ケーブル（連結部材）、１１…スイングドア（ドア）、２０…ロアクローザ、３０…ロアラッチ機構、４０…アクチュエータ、４１…電動モータ、４５…クローズレバー、４７ａ…押圧片（ロアラッチ作動部）、４９…ケーブル引込み部（アッパラッチ作動部）、５０…アッパクローザ、６０…アッパラッチ機構。
【図１】
2019173500.tif 000003
【図２】
2019173500.tif 000004
【図３】
2019173500.tif 000005
【図４】
2019173500.tif 000006
【図５】
2019173500.tif 000007
【図６】
2019173500.tif 000008
【図７】
2019173500.tif 000009
【図８】
2019173500.tif 000010
【図９】
2019173500.tif 000011